(57)【要約】【課題】表示装置を取付板に固定する場合に、着脱作業の容易性を損なうことがなく、固定状態の表示装置が取付板から脱落することを防止する。【解決手段】液晶表示装置１５２のベース部１５８に形成した固定片１７０に対して、突起部１７２を設け、スライドレバー１６４の退避位置から固定位置へのスライド移動に連動して、突起部１７２の首部１７２Ａを、スライドレバー１６４のスリット溝１６４Ａに収容し、頭部１７２Ｂが抜けないような構造とすることで、ベース部１５８の変形とスライドレバー１６４の変形の両方に対応して、固定片１７０の抜け、すなわち、液晶表示装置１５２のセット板１５０からの脱落を防止するようにした。【選択図】図５
2015196018.tif 000002
【特許請求の範囲】
【請求項１】
遊技盤の背面側に取り付けられ、遊技球が移動する遊技領域に対応するように表示装置を取り付けるための枠部が形成された取付板と、
前記表示装置を、前記取付板の枠部に仮支持した状態で移動させ、当該取付板に対して前記表示装置を位置決めする位置決め手段と、
少なくとも２位置間を移動可能とされ、前記位置決め手段による位置決め状態で、当該２位置間の移動範囲の特定位置へ移動させることで前記表示装置を前記取付板の枠部へ固定する固定部材と、
前記表示装置又は前記固定部材の少なくとも一方の変形を抑制する変形抑制手段と、
を有する遊技機。
【請求項２】
前記位置決め手段が、
矩形状の枠体の対峙する両辺の一方の辺を中心として、前記表示装置を回転可能に仮支持し、回転によって前記表示装置が他方の辺に突き合わされて位置決めするヒンジ構造を備えることを特徴とする請求項１記載の遊技機。
【請求項３】
前記固定部材が、
前記枠部の周縁に沿って移動可能に予め取り付けられ、移動範囲の一端が退避位置とされ、移動範囲の他端が前記位置決め手段による位置決め状態の表示装置の周縁に形成された突出部を挟み込んで固定する固定位置とされ、
前記変形抑制手段が、
前記固定部材に設けられ、当該固定部材の移動方向に沿って形成されたスリット部と、
前記表示装置の突出部から突出するように形成され、相対的に幅狭の首部及び当該首部からさらに突出され相対的に幅広の頭部で形成された突起部を備え、
前記位置決め後の固定部材の固定動作である退避位置から固定位置への移動に伴って、前記首部が前記スリット部に収容されることを特徴とする請求項１又は請求項２記載の遊技機。
【発明の詳細な説明】
【技術分野】
【０００１】
本発明は、表示装置を搭載した遊技機に関するものである。
【背景技術】
【０００２】
遊技機、特にパチンコ機においては、遊技球が遊技盤面に沿って流動することで遊技が進行する。このようなパチンコ機では、前記遊技球の流動とは別に、比較的大型の表示装置を用いて動画演出等を実行することで、遊技趣向性を向上させている。表示装置としては、例えば、１５インチ〜２０インチ程度のＬＣＤやＬＥＤを用いた表示装置が適用される場合がある。
【０００３】
表示装置は、大型になればなるほど、その取り付けを強固にすることが望ましい反面、容易に着脱可能として交換作業等を軽減することも要求される。
【０００４】
特許文献１には、表示装置の取り付け構造が記載されている。すなわち、特許文献１では、固定枠に対して開閉可能な可動枠のレールに沿って表示装置を移動してストッパで受け止められた後、ねじ釘によって締結することで表示装置の脱落を防止し、かつ、表示装置が補強材となって可動枠の撓みを防止することが記載されている。
【０００５】
また、特許文献２には、内枠の背面側の開口部の上端部及び下端部に、内枠の自由端側から支持端側へ向かって上レール及び下レールを水平に配置し、上レール及び下レールに沿って表示装置をスライド可能とした構造が記載されている。この特許文献２では、表示装置を交換する際、表示装置を完全に取り外すまでの間は、表示装置の質量は下レールを介して内枠で支持されているため、作業者の負担が少なく、表示装置の交換を簡単に行うことができる。
【０００６】
ここで、特許文献１、特許文献２に記載の表示装置では、基本的に上下のレールに沿って移動させる構造となっている。上下のレールによって表示装置を強固に支持することで、当該表示装置の脱落を防止している。
【０００７】
また、特許文献１では、最終的にねじ釘によって固定すると共に、表示装置自体の剛性によって、可動枠の撓みを防止している。
【先行技術文献】
【特許文献】
【０００８】
【特許文献１】特開２００９−０５６２５０号公報
【特許文献２】特開２００８−１０４８６０号公報
【発明の概要】
【発明が解決しようとする課題】
【０００９】
しかしながら、特許文献１、特許文献２では、着脱容易性、並びに定常状態での取り付け中の荷重対策や、取り付け後の強度対策を主目的としており、運搬中の衝撃に対する表示装置の位置ずれに関しての対策について、示唆されていない。例えば、上下レールに沿って取り付けられている表示装置において、定常状態ではレール終端で保持されているが、運搬中の衝撃によってレール終端からずれる可能性がある。
【００１０】
本発明は上記事実を考慮し、表示装置を取付板に固定する場合に、着脱作業の容易性を損なうことがなく、固定状態の表示装置が取付板から脱落することを防止することができる遊技機を得ることが目的である。
【課題を解決するための手段】
【００１１】
本発明は、遊技盤の背面側に取り付けられ、遊技球が移動する遊技領域に対応するように表示装置を取り付けるための枠部が形成された取付板と、前記表示装置を、前記取付板の枠部に仮支持した状態で移動させ、当該取付板に対して前記表示装置を位置決めする位置決め手段と、少なくとも２位置間を移動可能とされ、前記位置決め手段による位置決め状態で、当該２位置間の移動範囲の特定位置へ移動させることで前記表示装置を前記取付板の枠部へ固定する固定部材と、前記表示装置又は前記固定部材の少なくとも一方の変形を抑制する変形抑制手段と、を有している。
【００１２】
本発明によれば、遊技盤の表面（遊技者と対峙する側）から表示装置の画像を見ることができるように、遊技盤の背面側に表示装置を配置する。このとき、表示装置は、遊技盤の背面側に取り付けられた取付板に取り付けられる。
【００１３】
取付板には、枠部が形成され、表示装置は、位置決め手段によって位置決めされる。すなわち、表示装置を取付板に仮支持して、当該表示装置の荷重を取付板にかけた状態で移動させることで位置決め完了する。
【００１４】
固定部材は、位置決め手段による表示装置と枠部との位置決め状態で、移動範囲の特定位置へ移動させることで表示装置と枠体とを固定する。これにより、表示装置は、取付板に取り付けられる。
【００１５】
ここで、仮支持状態において、当該仮支持された分の表示装置の荷重は、作業者の負担とならないため、着脱時の作業性が向上する（着脱容易性の確保）。
【００１６】
ところで、表示装置が取付板に取り付けられた状態で、遊技盤を搬送するとき、搬送時に予期せぬ衝撃があると、表示装置又は固定部材が変形して、表示装置が取付板から脱落する可能性がある。特に表示装置がＬＣＤやＬＥＤの場合は、薄型傾向にあり、薄ければ薄いほど同じ衝撃を受けたときの変形量が増加する。
【００１７】
また、固定部材の機能は、表示装置と枠部とがずれないように固定すればよく、軽量化、小型化の観点からも、予期せぬ衝撃による変形を考慮した材質にならない場合がある。すなわち、固定部材は、材質が軟質であればあるほど変形量が増加する。
【００１８】
そこで、本発明では、変形抑制手段により、表示装置又は固定手段の少なくとも一方の変形を抑制するようにした。変形が抑制される分、予期せぬ衝撃に対して変形量が軽減されるため、固定部材による表示装置と枠体との固定を維持することができる（脱落防止構造の確立）。
【００１９】
このような、本発明は、表示装置の着脱容易性を確保しつつ、例えば、運搬中の予期せぬ衝撃による取付板からの表示装置の脱落防止構造を確立することができる。
【００２０】
本発明において、前記位置決め手段が、矩形状の枠体の対峙する両辺の一方の辺を中心として、前記表示装置を回転可能に仮支持し、回転によって前記表示装置が他方の辺に突き合わされて位置決めするヒンジ構造を備えることを特徴としている。
【００２１】
取付板には、矩形状の枠部が形成され、表示装置は、枠部において対峙する両辺（例えば左右辺）の一方の辺を中心として、回転可能に仮支持される。
【００２２】
また、表示装置が、仮支持状態で回転することで、表示装置が他方の辺に突き合わされ位置決め状態とすることができる。すなわち、位置決め手段は、仮支持、回転動作を介して位置決めされるため、枠部に対して直接表示装置を位置決めするよりも位置決め作業が容易となる。
【００２３】
また、本発明において、前記固定部材が、前記枠部の周縁に沿って移動可能に予め取り付けられ、移動範囲の一端が退避位置とされ、移動範囲の他端が前記位置決め手段による位置決め状態の表示装置の周縁に形成された突出部を挟み込んで固定する固定位置とされ、前記変形抑制手段が、前記固定部材に設けられ、当該固定部材の移動方向に沿って形成されたスリット部と、前記表示装置の突出部から突出するように形成され、相対的に幅狭の首部及び当該首部からさらに突出され相対的に幅広の頭部で形成された突起部を備え、前記位置決め後の固定部材の固定動作である退避位置から固定位置への移動に伴って、前記首部が前記スリット部に収容されることを特徴としている。
【００２４】
固定部材は、枠部の周縁に沿って、退避位置から固定位置へ移動する。この固定部材にはスリット部が形成され、表示装置が枠部に対して位置決めされた後、固定部材の固定動作、すなわち、退避位置から固定位置への移動に伴って、表示装置に設けられた突起部の首部がスリット部に収容される。この状態で突起部の頭部はスリット部からの抜け止めとしての役目を有し、例えば、表示装置が変形して、固定部材で挟み込んである突出部が抜け出ようとしても、突起部がこれを抑制し、表示装置の変形による枠部からの脱落を防止することができる。すなわち、首部がスリット部に収容されることで頭部が表示装置の脱落を防止する。
【００２５】
なお、固定部材の変形においても同様に、表示装置の枠部からの脱落を防止することができる。
【発明の効果】
【００２６】
以上説明した如く、本発明では、表示装置を取付板に固定する場合に、着脱作業の容易性を損なうことがなく、固定状態の表示装置が取付板から脱落することを防止することができるという優れた効果を有する。
【図面の簡単な説明】
【００２７】
【図１】本実施の形態に係るパチンコ機を正面から見た場合の斜視図である。
【図２】本実施の形態に係るパチンコ機を背面から見た場合の正面図である。
【図３】本実施の形態に係るセット板と液晶表示装置との組み付け状態を簡易的に示した斜視図であり、（Ａ）は組み付け前、（Ｂ）は組み付け後を示す。
【図４】（Ａ）はスライドレバーが退避位置となっているときのセット板の一部を示す斜視図、（Ｂ）は位置決め前のセット板と液晶表示装置を示す断面図である。
【図５】（Ａ）はスライドレバーが固定位置となっているときのセット板の一部を示す斜視図、（Ｂ）は位置決め後のセット板と液晶表示装置を示す断面図である。
【図６】変形例１に係るスライドレバーが固定位置となっているときのセット板の一部を示す斜視図である。
【図７】変形例２に係るスライドレバーが固定位置となっているときのセット板の一部を示す斜視図である。
【発明を実施するための形態】
【００２８】
（パチンコ機１０の全体構成）
図１に示される如く、パチンコ機１０は、矩形状の外枠１１Ａ及び内枠１１Ｂを備えた本体枠１０Ａと、一体扉ユニット１０Ｂとを備え、本体枠１０Ａ（外枠１１Ａ、内枠１１Ｂ）、並びに一体扉ユニット１０Ｂは、それぞれヒンジ１０Ｃを介して取り付けられている。このため、内枠１１Ｂは外枠１１Ａに対して、並びに、一体扉ユニット１０Ｂは内枠１１Ｂに対して、それぞれヒンジ１０Ｃの軸部を中心に回転可能とされている。
【００２９】
パチンコ機１０の一体扉ユニット１０Ｂの前面下部には、化粧パネルとなる下飾り１２が取り付けられている。
【００３０】
また、パチンコ機１０の下飾り１２の上部には、ガラス板１４を装着したガラス枠１６が配置されている。このガラス枠１６の奥側には、着脱交換可能な遊技盤１８（詳細は省略）がセットされており、遊技盤１８に設けられた遊技領域が、ガラス枠１６で閉塞された状態でガラス板１４に対向するようになっている。
【００３１】
ガラス枠１６の上部角部には、スピーカ６０Ｌ、６０Ｒが内蔵され、当該スピーカ６０Ｌ、６０Ｒに対峙するように装飾部材（ルーバー）６１Ｌ、６１Ｒが設けられ、スピーカ６０Ｌ、６０Ｒからの音を通過させる通音孔とされている。
【００３２】
ガラス枠１６における左右の側部、並びに上部には、電飾装置５１、５２が取り付けられている。電飾装置５１、５２は、図示しないベース部に対して、立体的に突出したレンズカバーが取り付けられた構造となっている。
【００３３】
電飾装置５１のベース部には、図示しない電気配線基板が設けられ、当該電気配線基板には、電気部品としての光源が取り付けられている。このため、レンズカバーに閉塞された空間内で光源が点灯すると、レンズカバーによる光の屈折等により、遊技者に対して光の演出が実行されるようになっている。
【００３４】
ガラス枠１６の下部には、受け皿ユニット２４が配置されている。受け皿ユニット２４の図１の右端部には、鍵穴２７が設けられている。
【００３５】
受け皿ユニット２４には、上皿部２８が設けられている。上皿部２８には、球抜きボタン３６Ａが設けられ、この球抜きボタン３６Ａを操作することで、上皿部２８に貯留された遊技球を下皿部２９へ案内することができるようになっている。また、上皿部２８の図１の右端部には、球貸ボタン４２と、返却ボタン４４が設けられている。
【００３６】
下皿部２９には、球抜きレバー３６Ｂが設けられ、この球抜きレバー３６Ｂを操作することで、下皿部２９に貯留された遊技球を外部（例えば、所謂「ドル箱」）へ排出することができるようになっている。
【００３７】
受け皿ユニット２４の図１の右側下部には打球の発射力（飛距離）を調整するためのグリップユニット２６（「（発射ハンドル２６」という場合がある）」が取り付けられている。
【００３８】
また、受け皿ユニット２４における上皿部２８には、遊技者が押圧操作又は回転操作可能な操作部５０が設けられている。この操作部５０は、遊技中において、操作有効期間中に操作することで、演出画像に対して介入することができるようになっており、それぞれの遊技仕様によって設定される。
【００３９】
図２は、遊技盤１８が装着された状態での、パチンコ機１０の背面側の正面図である。
【００４０】
図２に示される如く、遊技盤１８の背面には、制御系ユニットと、遊技球流路ユニットとが組み込まれている。
【００４１】
（制御系ユニット）
制御系ユニットには、それぞれ複数の電子部品が取付られた基板ボード及びその周辺部品が透明の筐体に覆われた状態で取り付けられており、遊技盤１８の中央部には、主基板１００が配置され、パチンコ機１０の制御系ユニットは、主基板１００を中心として、遊技仕様に基づく制御プログラムが実行される。
【００４２】
主基板１００の上部には、取付板としてのセット板１５０が取り付けられている。
【００４３】
セット板１５０は、基本的に裏ユニット（役物装置や遊技球通路等）を搭載する裏箱であり、その裏箱の裏面に液晶表示装置や中継基板を搭載するようになっている。
【００４４】
なお、セット板１５０は、以下の（ａ）〜（ｃ）に示す機能を備えてもよい。
【００４５】
（ａ）  可動役物装置や電飾用基板を搭載する機能
（ｂ）  入賞した遊技球を本体へ排出する機能
（ｃ）センサを取り付けることによって、磁気、振動や電波を検出する機能
【００４６】
前記セット板１５０のさらに上部（図２の右上）には、外部端子基板１０４が配置されている。
【００４７】
前記セット板１５０は、箱型で表示装置としての液晶表示装置１５２（図３参照）収容されている。液晶表示装置１５２は、セット板１５０の背部に設けられた矩形状の開口部１５４（図３参照）に対して着脱可能に取り付けられている（詳細後述）。さらに、前記液晶表示装置１５２の背部には、中継基板１０２が着脱可能に取り付けられている。中継基板１０２では、主基板１００からの命令により液晶表示装置１５２に図柄変動演出を含む動画等を表示する制御、並びに、音声、ランプ等を用いた演出の制御を司る。
【００４８】
セット板１５０に装着された状態での液晶表示装置１５２は、遊技盤１８（図１参照）が透明アクリル製の場合には、遊技盤１８の遊技領域のほぼ全域から、液晶表示装置１５２に表示される画像が遊技者から視認可能となる。なお、遊技盤１８が木製合板の場合は、遊技盤１８に表示面露出用の貫通孔が設けられ、当該貫通孔を介して画像が視認可能となる。
【００４９】
主基板１００の下部には、払出制御基板１０６が配置されている。また、払出制御基板１０６の図２の左側部には、電源ユニット１０８が配置されている。
【００５０】
なお、液晶表示装置１５２が取り付けられたセット板１５０、主基板１００、中継基板１０２、外部端子基板１０４、払出制御基板１０６、電源ユニット１０８を含む各主基板の相対配置位置は、上記に限定されるものではなく、必要に応じて変更してもよい。
【００５１】
主基板１００には、遊技仕様に基づく制御プログラムを中心とした複数の制御プログラムが記憶されており、この主基板１００からの命令信号に基づいて、各部の動作が制御されるようになっている。
【００５２】
また、主基板１００からは、外部端子基板１０４を介してホールコンピュータ（図示省略）へ遊技の進行状態を示す情報（始動入賞信号や大当たり信号、図柄確定回数信号等）が送信される。
【００５３】
（接続デバイスの一例）
上記制御系ユニットに接続されるデバイスの一例を示す。
【００５４】
主基板１００には、入力系として、遊技盤１８に設けられた通過ゲートの遊技球の通過や、入賞口への遊技球の入賞を検出するセンサ群が接続され、出力系として、遊技球の入賞に関わる機械的な動作の駆動源であるソレノイドやモータ等のデバイスが接続されている。
【００５５】
また、中継基板１０２には、入力系として、前記操作部５０が接続され、出力系として、演出等に用いられ機械的な動作の駆動源であるソレノイドやモータ等のデバイスや、前述したスピーカ６０Ｌ、６０Ｒ、電飾装置５１、５２が接続されている。
【００５６】
さらに、払出制御基板１０６には、払出装置及び発射装置が接続されている。
【００５７】
この払出制御基板１０６は、パチンコ機１０内に設けられた払出装置を作動させて、賞球又は貸し球の払い出し及び停止動作と払出数を制御する。また、遊技者によるグリップユニット２６（図１参照）の操作により発射装置を作動させて、遊技球の発射開始、及び、グリップユニット２６の操作量に応じた発射強度を制御する。
【００５８】
（液晶表示装置１５２の取り付け構造）
図３は、本実施の形態に係るセット板１５０と、液晶表示装置１５２との取り付け構造を示すために、それぞれの外観形状を簡略化して示した斜視図である。
【００５９】
液晶表示装置１５２は、液晶表示部１５６と、この液晶表示部１５６を支持するベース部１５８とを備えている。
【００６０】
セット板１５０は、一面が開口された透過性を有する箱型とされ、四方の壁部１５０Ａの先端に形成されたリブ１５０Ｂが遊技盤１８（図１参照）の背面側に突き当てられ、例えばねじ締めで締結されている。
【００６１】
セット板１５０の底面（背部１５０Ｃ）には、矩形状の開口部１５４が形成され、液晶表示装置１５２が当該開口部１５４に対して着脱可能とされている。
【００６２】
開口部１５４の縦横寸法は、液晶表示装置１５２のベース部１５８の外形寸法に対応して設定される。例えば、ベース部１５８の外形と相似形で予め定めた割合だけ縮小された縦横寸法とされている。このため、装着状態の液晶表示装置１５２のベース部１５８の周縁は、前記開口部１５４の周縁に突き当てられることになる。
【００６３】
液晶表示装置１５２のベース部１５８の左右辺の一方（図３に示す軸辺１５８Ａ）には、一対の爪部１６０が形成されている。爪部１６０は平板状とされ、前記セット板１５０の背部１５０Ｃ（開口部１５４の図３の左辺周縁）に形成された一対の掛止部１６２と対応している。
【００６４】
掛止部１６２は、前記背部１５０Ｃから図３の手前側に矩形状に突出しており、当該突出した分に応じてスリット状の溝部が形成されている。
【００６５】
ここで、液晶表示装置１５２がセット板１５０に装着されるとき、液晶表示装置１５２のベース部１５８に形成された一対の爪部１６０を、それぞれ一対の掛止部１６２の溝部に収容させる（図３（Ａ）の（１）の点線矢印参照）。
【００６６】
このとき、液晶表示装置１５２の軸辺１５８Ａが、開口部１５４の図３（Ａ）の左辺の周縁に当てがわれ、「仮支持」状態となり得る。この「仮支持」状態の液晶表示装置１５２は、その荷重がセット板１５０にかかるようになっている。
【００６７】
また、前記「仮支持」状態の液晶表示装置１５２は、セット板１５０の背部１５０Ｃに対して、所定の角度を持った状態（斜め状態）であり、この「仮支持」状態から、図３（Ａ）の軸辺１５８Ａを中心に回転させる（図３（Ａ）の（２）の点線矢印参照）。この回転操作で、軸辺１５８Ａと対峙する他方の辺が、開口部１５４の右辺の周縁に突き当てられるようになっている。すなわち、液晶表示装置１５２は、「仮支持」状態からの軸辺１５８Ａを中心とする回転動作によって、セット板１５０に対して位置決めがなされるようになっている（図３（Ｂ）の状態参照）。
【００６８】
セット板１５０の背部１５０Ｃにおける、図３（Ａ）及び（Ｂ）の右辺の周縁には、前記液晶表示装置１５２を前記位置決め状態で固定する固定部材として、スライドレバー１６４が設けられている。
【００６９】
スライドレバー１６４は、その底面（セット板１５０との対向面）に、ガイド部１６６（図５（Ｂ）参照）が形成されている。また、セット板１５０には、このガイド部１６６を収容する収容部１６７が形成されている。このガイド部１６６と収容部１６７とにより、スライドレバー１６４は予め定めた２位置間（セット板１５０の開口部１５４の図３（Ａ）及び（Ｂ）の右辺に沿った直線の特定範囲）を移動するようになっている。
【００７０】
スライドレバー１６４の移動範囲の一端部は退避位置とされ（図３（Ａ）の状態）、スライドレバー１６４が退避位置となっているときに、液晶表示装置１５２を「仮支持」状態から図４（Ｂ）のように回転して位置決めすると、液晶表示装置１５２のベース部１５８に設けられた固定片１７０（突出部）が前記スライドレバー１６４の移動軌跡上に配置されるようになっている。
【００７１】
スライドレバー１６４の移動軌跡上に配置された固定片１７０は、セット板１５０の背部１５０Ｃから突出する案内部１６８の一部に設けられた固定片受け部１６８Ａに突き当てられた状態となる。なお、固定片１７０は、案内部１６８に直接突き当ててもよい。
【００７２】
この状態で、スライドレバー１６４を移動範囲の他端部へ移動（図３（Ａ）及び図４（Ａ）の位置から下方へ移動）すると、スライドレバー１６４とセット板１５０の背部１５０Ｃに形成された案内部１６８との間に液晶表示装置１５２の固定片１７０を挟み込み、位置決め状態で固定することができる（図５（Ｂ）参照）。このスライドレバー１６４の他端位置を、前記退避位置に対して固定位置（図３（Ｂ）及び図５（Ａ）の状態）という。
【００７３】
本実施の形態では、図４に示される如く、前記ベース部１５８に形成した固定片１７０に、さらに、変形抑制手段としての突起部１７２が形成されている。突起部１７２は略Ｔ字型とされ、幅狭の首部１７２Ａと幅広の頭部１７２Ｂを備えている。一方、図５に示される如く、スライドレバー１６４には、スリット溝１６４Ａが形成されている。
【００７４】
ここで、液晶表示装置１５２が位置決めされた状態で、スライドレバー１６４が退避位置から固定位置へスライド移動するとき、突起部１７２の首部１７２Ａは、スライドレバー１６４のスリット溝１６４Ａの移動軌跡上に配置されており、そのまま固定位置までスライド移動すると、固定片１７０が固定されると共に、頭部１７２Ｂが固定片１７０の抜け止めとして作用する。
【００７５】
このため、例えば、液晶表示装置１５２のベース部１５８が変形し、固定片１７０がスライドレバー１６４による固定位置から抜け出るような力が働いたとしても、突起部１７２の頭部１７２Ｂ（首部１７２Ａ側の面）とスライドレバー１６４の側面とが干渉しあって、固定片１７０をスライドレバー１６４による固定位置に維持することができる。なお、突起部１７２は、スライドレバー１６４が変形することによる、固定片１７０の抜け出しも抑止可能である。
【００７６】
以下に本実施の形態の作用を説明する。
【００７７】
遊技盤１８の背面側には、予めセット板１５０が取り付けられており、液晶表示装置１５２が着脱可能に取付られる。
【００７８】
セット板１５０に取り付けられ液晶表示装置１５２は、その表示面が遊技盤１８の背面側に対峙する。このとき、遊技盤１８が透明アクリル製の場合は、遊技者から見て遊技領域の後方に液晶表示装置１５２の表示面が重なり、遊技盤１８面上の遊技球の動向と、液晶表示装置１５２に表示面に表示される演出画像を同一の視線で見ることができる。
【００７９】
一方、遊技盤１８が木製合板の場合には、予め遊技盤１８に貫通孔が設けられており、遊技領域とは区画された領域で、液晶表示装置１５２の表示面に表示される演出画像を楽しむことができる。
【００８０】
以下、液晶表示装置１５２をセット板１５０に取り付ける手順を説明する。
【００８１】
液晶表示装置１５２をセット板１５０に装着するときは、まず、図３の（１）の点線矢印で示すように、液晶表示装置１５２のベース部１５８に形成された一対の爪部１６０を、それぞれセット板１５０の背部１５０Ｃに形成された一対の掛止部１６２の溝部に収容させる。この状態が、「仮支持」状態である。「仮支持」状態の液晶表示装置１５２は、その荷重がセット板１５０にかかるため、組み付け作業者への負担が軽減される。
【００８２】
次に、この「仮支持」状態から、図３の（２）の点線矢印で示すように、液晶表示装置１５２を、ベース部１５８の軸辺１５８Ａを中心に回転させる。この回転操作で、軸辺１５８Ａと対峙する他方の辺が、開口部１５４の右辺の周縁に突き当てられる。これにより、液晶表示装置１５２は、セット板１５０に対して位置決め状態となる。
【００８３】
液晶表示装置１５２が位置決め状態になると、退避位置にあるスライドレバー１６４（図４参照）を固定位置へ移動させる（図５の状態）。
【００８４】
スライドレバー１６４が固定位置になると、液晶表示装置１５２の固定片１７０が、案内部１６８に形成された固定片受け部１６８Ａ、或いは案内部１６８に直接突き当てられた状態で挟み込まれ、位置決め状態で固定することができる。
【００８５】
このように、液晶表示装置１５２は、前記ベース部１５８に形成された一対の爪部１６０が、セット板１５０の背部１５０Ｃに形成された一対の掛止部１６２に掛け止めされ、かつスライドレバー１６４により、少なくとも固定片１７０を挟み込むことで、定常状態では固定することができる。
【００８６】
ところで、遊技盤１８は、セット板１５０に液晶表示装置１５２を固定した状態で、運搬する場合がある。この運搬中は、前記定常状態の振動よりも遥かに大きい振動が発生する場合がある。この定常では発生し得ない振動は、液晶表示装置１５２のベース部１５８を撓ませる、或いは、スライドレバー１６４を撓ませる要因になる。ベース部１５８及び／又はスライドレバー１６４が撓んで変形すると、スライドレバー１６４によるベース部１５８の固定片１７０の挟み込み状態を維持できない可能性がある。
【００８７】
そこで、本実施の形態では、固定片１７０からさらに突出するように突起部１７２を設けた。
【００８８】
突起部１７２は、首部１７２Ａと頭部１７２Ｂを備える。その内の首部１７２Ａは、液晶表示装置１５２が位置決めされた状態で、スライドレバー１６４が退避位置から固定位置へスライド移動するとき、スリット溝１６４Ａに収容される。このとき、固定片１７０と頭部１７２Ｂとは、スリット溝１６４Ａを境にスライドレバー１６４の内外に分離されるため、頭部１７２Ｂが固定片１７０の抜け止めとして作用する。
【００８９】
このため、例えば、セット板１５０に液晶表示装置１５２を取り付けた状態で運搬する場合に発生する、定常状態では起こり得ない振動が発生し、液晶表示装置１５２のベース部１５８が変形し、固定片１７０がスライドレバー１６４による固定位置から抜け出るような力が働いたとしても、突起部１７２の頭部１７２Ｂ（首部１７２Ａ側の面）とスライドレバー１６４の側面とが干渉しあって、固定片１７０をスライドレバー１６４による固定位置に維持することができる。
【００９０】
一方、変形は、液晶表示装置１５２のベース部１５４に限らず、スライドレバー１６４が合成樹脂製である場合には、当該スライドレバー１６４が変形する可能性がある。しかし、突起部１７２は、スライドレバー１６４が変形したとしても、スリット溝１６４Ａから脱落するようなことはなく、固定片１７０の抜け出しを抑止できる。
【００９１】
本実施の形態では、スライドレバー１６４及びその案内部１６８は、図１に示す一体扉１０Ｂの裏面側に配置されるものであり、当該配置位置が、ヒンジ１０Ｃ側となっている。
【００９２】
ヒンジ１０Ｃ側は、例えば、店員が一体扉１０Ｂを開放して何らかの作業（球詰まり解消等を含む一般作業）をするときに、最も遠い側となる。一方、液晶表示装置１５２を交換するような特殊作業の頻度は、前記一般作業の頻度よりも極めて少ない。このため、通常時（一般作業のための一体扉１０Ｂの開放）では、一般作業中の不注意でもスライドレバー１６４は簡単に操作することができず、液晶表示装置１５２が脱落するような最悪の結果を招くことはない。
【００９３】
なお、本実施の形態では、液晶表示装置１５２のベース部１５８に形成した固定片１７０に対して、突起部１７２を設け、スライドレバー１６４の退避位置から固定位置へのスライド移動に連動して、突起部１７２の首部１７２Ａを、スライドレバー１６４のスリット溝１６４Ａに収容し、頭部１７２Ｂが抜けないような構造とすることで、ベース部１５８の変形とスライドレバー１６４の変形の両方に対応して、固定片１７０の抜け、すなわち、液晶表示装置１５２のセット板１５０からの脱落を防止するようにした。
【００９４】
しかし、必要に応じて、スライドレバー１６４の変形による脱落防止に特化するようにしてもよい。言い換えれば、液晶表示装置１５２のベース部１５８の剛性が高い場合、スライドレバー１６４が先に変形するため、スライドレバー１６４の変形を防止すればよい。
【００９５】
スライドレバー１６４に特化した変形抑制手段の変形例１としては、例えば、図６に示される如く、スライドレバー１６４の外周の一部をリブ１７４を形成する。このリブ１７４によって、スライドレバー１６４を支えて変形を防止する。
【００９６】
また、スライドレバー１６４に特化した変形抑制手段の変形例２としては、例えば、図７に示される如く、スライドレバー１６４の一部を囲むように庇部１７６を形成してもよい。庇部１７６によって、スライドレバー１６４の変形を抑制することができる。
【符号の説明】
【００９７】
１０    パチンコ機
１０Ａ    本体枠
１０Ｂ    一体扉ユニット
１０Ｃ    ヒンジ
１１Ａ    外枠
１１Ｂ    内枠
１２    下飾り
１４    ガラス板
１６    ガラス枠
１８    遊技盤
２４    受け皿ユニット
２６    グリップユニット（発射ハンドル）
２７    鍵穴
２８    上皿部
２９    下皿部
３６Ａ    球抜きボタン
４２    球貸ボタン
４４    返却ボタン
５０    操作部
５１、５２    電飾装置
６０Ｌ、６０Ｒ    スピーカ
１００    主基板
１０２    中継基板
１０４    外部端子基板
１０６    払出制御基板
１０８    電源ユニット
１５０    セット板（取付板）
１５０Ａ    壁部
１５０Ｂ    リブ
１５０Ｃ    背部
１５２    液晶表示装置
１５４    開口部
１５６    液晶表示部
１５８    ベース部
１５８Ａ    軸辺
１６０    爪部（位置決め手段）
１６２    掛止部（位置決め手段）
１６４    スライドレバー（固定部材）
１６４Ａ    スリット溝(変形抑制手段、スリット部)
１６６    ガイド部
１６８    案内部
１６８Ａ    固定片受け部
１７０    固定片（突出部）
１７２    突起部(変形抑制手段)
１７２Ａ    首部(変形抑制手段)
１７２Ｂ    頭部(変形抑制手段)
【図４】
2015196018.tif 000003
【図５】
2015196018.tif 000004
【図６】
2015196018.tif 000005
【図７】
2015196018.tif 000006
【図１】
2015196018.tif 000007
【図２】
2015196018.tif 000008
【図３】
2015196018.tif 000009